(57)【特許請求の範囲】
【請求項１】
複数の貫通孔が形成された上部、底部、及び該底部に装着された電源プラグを有する台座と、
該台座の上部の該複数の貫通孔にそれぞれ挿入され該台座に装着された複数のガラス管と、
該複数のガラス管内にそれぞれ装着された複数の多方向照明ＬＥＤストリップであって、該各多方向照明ＬＥＤストリップは、
２つの互いに反対側の照明面を有する複数の縦方向ＬＥＤ回路基板と、
該複数の縦方向ＬＥＤ回路基板の上部に装着された横方向ＬＥＤ回路基板と、
該縦方向ＬＥＤ回路基板に装着され対応する該ガラス管の底部を貫通する２つの電源ピンとを有する複数の多方向照明ＬＥＤストリップと、
該電源プラグに接続されＡＣ電力を受け取るＡＣ電源入力端と該２つの電源ピンが接続されＤＣ電力を供給するＤＣ電源出力端とを有し該台座内に装着されたＡＣ‐ＤＣ変換回路基板と、
を備え、
該複数の多方向照明ＬＥＤストリップはＤＣ電源に並列に電気的に接続されている、多管ＬＥＤ電球。
【請求項２】
前記台座は、
上部開口と前記電源プラグが装着される底部とを有する中空の基部と、
前記複数の貫通孔が形成され該中空の基部の該上部開口を覆うカバーと、
を備え、
該貫通孔は該中空の基部の内部空間と連通する請求項１に記載の多管ＬＥＤ電球。
【請求項３】
２つの隣接する前記ガラス管の外面間に装着された１つ以上の支持体を更に備え、
該各支持体は２つの前記貫通孔間の距離に一致する長さを有し、該隣接するガラス管が該２つの貫通孔に挿入される請求項２に記載の多管ＬＥＤ電球。
【請求項４】
前記各ガラス管は、
底部開口と該底部開口の周りの底部縁とを有し内部空間が形成された円筒形状本体と、
該底部開口から該円筒形状本体内に収容され底部が該円筒形状本体の該底部縁に一体に接続されるベル形バブルと、
該ベル形バブルの上部から下方に延び該円筒形状本体の内部空間と連通する気密管と、
を備える請求項２に記載の多管ＬＥＤ電球。
【請求項５】
前記各ガラス管は、
底部開口と該底部開口の周りの底部縁とを有し内部空間が形成された円筒形状本体と、
該底部開口から該円筒形状本体内に収容され底部が該円筒形状本体の該底部縁に一体に接続されるベル形バブルと、
該ベル形バブルの上部から下方に延び該円筒形状本体の内部空間と連通する気密管と、
を備える請求項３に記載の多管ＬＥＤ電球。
【請求項６】
前記内部空間は高熱伝導率の気体で満たされている請求項１〜５のいずれかに記載の多管ＬＥＤ電球。
【請求項７】
前記気体は不活性ガス又は窒素である請求項６に記載の多管ＬＥＤ電球。
【請求項８】
前記ＡＣ‐ＤＣ変換回路基板は複数のＡＣ‐ＤＣ電力変換器を有し、該各ＡＣ‐ＤＣ電力変換器は、
前記ＡＣ電源入力端に電気的に接続された入力端と前記ＤＣ電源出力端に電気的に接続された出力端とを有する全ブリッジ整流器と、
該ＡＣ電源入力端の１つと該全ブリッジ整流器の該入力端の１つとの間に電気的に接続された電流制限抵抗器と、
該全ブリッジ整流器の該出力端の１つと該ＤＣ電源出力端の１つとの間に電気的に接続されたコンデンサと、
を備える請求項１〜５のいずれかに記載の多管ＬＥＤ電球。
【請求項９】
前記ＡＣ‐ＤＣ変換回路基板は複数のＡＣ‐ＤＣ電力変換器を有し、該各ＡＣ‐ＤＣ電力変換器は、
前記ＡＣ電源入力端に電気的に接続された入力端と前記ＤＣ電源出力端に電気的に接続された出力端とを有する全ブリッジ整流器と、
該ＡＣ電源入力端の１つと該全ブリッジ整流器の該入力端の１つとの間に電気的に接続された電流制限抵抗器と、
該全ブリッジ整流器の該出力端の１つと該ＤＣ電源出力端の１つとの間に電気的に接続されたコンデンサと、
を備える請求項７に記載の多管ＬＥＤ電球。
【発明の詳細な説明】
【技術分野】
【０００１】
本発明はＬＥＤ電球の分野、特に、多管ＬＥＤ電球に関する。
【背景技術】
【０００２】
ＬＥＤは低エネルギー消費の特徴を有し、そのため照明器の光源として使用される。照明器の従来の光源はＬＥＤにより置き換えられている。図６を参照すると、従来のＬＥＤ照明器は、円形プリント回路基板５０とこの円形プリント回路基板に実装された多数のＬＥＤ５１とを有するＬＥＤ電球である。
【０００３】
このＬＥＤ電球のＬＥＤは指向性照明特性を有し、全てのＬＥＤは円形プリント回路基板の同じ面上に実装されているので、このＬＥＤ電球は一方向だけに照明を提供し、照明範囲が制限される。また、円形プリント回路基板の該面の面積が小さ過ぎてＬＥＤの数が制限されるので、このＬＥＤ電球は高輝度を提供しない。
【０００４】
この欠点を克服するために、本発明は上記問題を緩和又は取り除く多管ＬＥＤ電球を提供する。
【発明の概要】
【課題を解決するための手段】
【０００５】
本発明の主目的は、高くて均一な輝度を有する多管ＬＥＤ電球を提供することである。
【０００６】
本多管ＬＥＤ電球は電源プラグを有する台座と、該台座に装着された複数のガラス管と、該複数のガラス管内にそれぞれ装着された複数の多方向照明ＬＥＤストリップと、該台座内に装着され該電源プラグに接続されてＡＣ電力を受け取りＡＣ電力をＤＣ電力に変換するＡＣ‐ＤＣ変換回路基板とを備える。該複数の多方向照明ＬＥＤストリップはＡＣ‐ＤＣ変換回路によるＤＣ電源に並列に電気的に接続されている。このＬＥＤ電球は複数の多方向照明ＬＥＤストリップを有するので、複数方向照明と均一な輝度を提供する。また、多方向照明ＬＥＤストリップは対応する該ガラス管の側壁に近接しているので、該ＬＥＤストリップからの熱は容易にかつ迅速にガラス管の側壁に伝達され、ＬＥＤ電球の寿命を延ばす。
【図面の簡単な説明】
【０００７】
【図１】本発明に係る多管ＬＥＤ電球の斜視図である。
【図２】本発明に係る多管ＬＥＤ電球の展開斜視図である。
【図３Ａ】図１の部分断面図である。
【図３Ｂ】本発明に係る別の多管ＬＥＤ電球の側面図である。
【図４】本発明に係る多管ＬＥＤ電球のＡＣ‐ＤＣ変換回路基板の詳細な回路図である。
【図５Ａ】本発明に係る別の多管ＬＥＤ電球の上面図である。
【図５Ｂ】本発明に係る別の多管ＬＥＤ電球の上面図である。
【図６】従来技術に係る従来のＬＥＤ電球の斜視図である。
【発明を実施するための形態】
【０００８】
本発明の他の目的、利点、及び新規な特徴は下記の詳細な説明と添付の図面からより明らかとなるであろう。
【実施例】
【０００９】
図１、図２、及び図３Ａを参照すると、多管ＬＥＤ電球の第１実施形態は、台座１０、複数のガラス管２０、複数の多方向照明ＬＥＤストリップ３０、及びＡＣ‐ＤＣ変換回路基板４０を有する。
【００１０】
台座１０は中空の基部１１、カバー１２、及び電源プラグ１３を有する。中空の基部１１はカバー１２で覆われる上部開口を有する。複数の貫通孔１２１がカバー１２を貫通して形成されている。電源プラグ１３は中空の基部１１の底部に装着される。第１実施形態では、電源プラグのタイプはＥ２７、Ｅ１４、Ｂ２２等を含むエジソンねじである。図３Ｂを参照すると、ＬＥＤ電球の別の実施形態はタイプＧ７、Ｇ１０、Ｇ１１、Ｇ２３、又はＧ２４などのピンプラグを電源プラグとして使用してもよい。
【００１１】
ガラス管２０はそれぞれ台座１０の対応する貫通孔１２１に挿入されて、ガラス管２０の底部は台座１０上に装着される。第１実施形態では、ＬＥＤ電球は４つのガラス管２０を有し、２つの隣接するガラス管２０の外面間にそれぞれ接続された４つの支持体２４を更に有してもよい。支持体２４は２つの隣接するガラス管２０間の固定ギャップを維持する。各支持体２４は２つの貫通孔１２１間の距離に一致する長さを有し、隣接するガラス管２０が該２つの貫通孔１２１に挿入される。各ガラス管２０は円筒形状本体２１、ベル形バブル２２、及び気密管２３を有する。ベル形バブル２２は底部開口２１１から円筒形状本体２１内に収容され、ベル形バブル２２の底部は円筒形状本体２１の底部縁に一体に接続される。なお、該底部縁は底部開口２１１の周囲に形成されている。気密管２３はベル形バブル２２の上部から下方に延び円筒形状本体２１の内部空間と連通する。
【００１２】
複数の多方向照明ＬＥＤストリップ３０がそれぞれガラス管２０内に装着されている。各多方向照明ＬＥＤストリップ３０はガラス管２０内に装着され、複数の縦方向ＬＥＤ回路基板３１と横方向ＬＥＤ回路基板３２と２つの電源ピン３３とを有する。本実施形態では、４つの縦方向ＬＥＤ回路基板３１が十字形に配置され、横方向ＬＥＤ回路基板３２は縦方向ＬＥＤ回路基板３１の上部に横切るよう装着される。電源ピン３３は縦方向ＬＥＤ回路基板３１に装着され、ガラス管２０の底部開口２１１を通って外部に延びている。好適な実施形態では、２つの電源ピン３３がベル形バブル２２と気密管２３の間の隙間を通りガラス管２０の底部開口２１１の外へ突出している。多数のＬＥＤが縦方向ＬＥＤ回路基板３１の両面に装着され、各縦方向ＬＥＤ回路基板３１は２つの互いに反対側の照明面を有する。従って、多方向照明ＬＥＤストリップ３０は複数方向照明を提供しより広い照明領域を有する。図５Ａ及び図５Ｂを参照すると、本発明において２つ又は６つの多方向照明ＬＥＤストリップ３０及びガラス管２０が使用される。本発明は多方向照明ＬＥＤストリップ３０とガラス管との数を限定しない。
【００１３】
図４を参照すると、ＡＣ‐ＤＣ変換回路基板４０は台座１０の中空の基部１１内に装着され、ＡＣ電源入力端４１とＤＣ電源出力端４５とを有する。ＡＣ電源入力端４１は電源プラグ１３に接続される。電源ピン３３はＤＣ電源出力端４５に接続され、該複数の多方向照明ＬＥＤストリップ３０はＤＣ電源出力端４５に並列に電気的に接続される。ＡＣ‐ＤＣ変換回路基板４０は複数のＡＣ‐ＤＣ電力変換器を有する。各ＡＣ‐ＤＣ電力変換器は電流制限抵抗器４２、全ブリッジ整流器４３、及びコンデンサ４４を有する。全ブリッジ整流器４３の入力端はＡＣ電源入力端４１に接続される。電流制限抵抗器４２はＡＣ電源入力端４１の１つと全ブリッジ整流器４３の入力端の１つとの間に接続されて、全ブリッジ整流器４３は電源プラグ１３からＡＣ電源を得る。全ブリッジ整流器４３の出力端はＤＣ電源出力端４５に接続される。コンデンサ４４は全ブリッジ整流器４３の出力端の１つとＤＣ電源出力端４５の１つとの間に接続される。全ブリッジ整流器４３はＡＣ電力をＤＣ電力に変換して、ＤＣ電力をＤＣ電源出力端４５に出力する。多方向照明ＬＥＤストリップ３０群はＤＣ電源に並列に電気的に接続され、複数の並列ループを形成するので、各多方向照明ＬＥＤストリップ３０を個別に発光させることが出来る。
【００１４】
また、ガラス管２０の内部空間を高熱伝導率の気体、例えばネオン、アルゴンを含む不活性ガス、又は窒素で満たしてもよい。ガラス管２０の内部空間の気体を抜くために、ベル形バブル及び気密管を形成する前に多方向照明ＬＥＤストリップ３０を底部開口２１１からガラス管２０の内部空間に挿入する。多方向照明ＬＥＤストリップ３０がガラス管２０の内部空間内に装着された後、予成形されたベル形バブル２２と開口を有する管が加熱され円筒形状本体２１の底部縁に固着する。内部空間内の空気は該管の開口から内部空間が真空になるまで抜かれる。その後、高熱伝導率の気体を管２３の開口を通して内部空間に充填して、回路基板上の金属材料が酸化されるのを防ぎ、回路基板の寿命を延ばす。最後のステップで、管２３の該開口を加熱して閉じて気密管２３を形成する。
【００１５】
上記で説明したように、本ＬＥＤ電球は複数の多方向照明ＬＥＤストリップを有し、該各ＬＥＤストリップは、２つの照明面を有する複数の縦方向ＬＥＤ回路基板と１つの横方向ＬＥＤ回路基板とを有するので、本ＬＥＤ電球は複数方向照明を提供し、より広い照明領域と高く均一な輝度とを有する。また、ガラス管は長く多方向照明ＬＥＤストリップは該ガラス管の側壁に近接しているので、該ＬＥＤストリップからの熱は容易にかつ迅速にガラス管の側壁に伝達され、ＬＥＤ電球の寿命を延ばす。
【００１６】
上記において、本発明の構造及び機能の詳細とともに本発明の多くの特徴及び利点を説明したが、本開示は例示だけのためである。詳細、特に部品の形状、サイズ、及び配置に関して、添付の請求項において使用される用語の広い一般的な意味により示される本発明の全範囲内で変更が可能である。
【符号の説明】
【００１７】
１０    台座
１３    電源プラグ
２０    ガラス管
３０    多方向照明ＬＥＤストリップ
３１    縦方向ＬＥＤ回路基板
３２    横方向ＬＥＤ回路基板
３３    電源ピン
４０    ＡＣ‐ＤＣ変換回路基板
１２１  貫通孔
【図１】
0005409820.tif 000002
【図２】
0005409820.tif 000003
【図３Ａ】
0005409820.tif 000004
【図３Ｂ】
0005409820.tif 000005
【図４】
0005409820.tif 000006
【図５Ａ】
0005409820.tif 000007
【図５Ｂ】
0005409820.tif 000008
【図６】
0005409820.tif 000009